(57)【要約】【課題】１つのバンドクランプで複数の電線を別々に結束可能なバンドクランプを用いて複数の電線を取付対象物に取り付ける際に生じる組み付け誤差を小さくすることができる技術を提供することを目的とする。【解決手段】バンドクランプ３０は、係止部３２と、係止部３２の挿入方向に沿って並ぶように設けられた複数のロック部４３を含むバンド固定部４０と、少なくとも１本のバンド部５０と、を備える。バンド部５０は、複数の電線群７０のうちそれぞれの電線群７０ごとに巻回されて別々のロック部４３に固定可能に形成されているとともに、複数の電線群７０が係止部３２に対してバンド固定部４０を挟んだ位置で挿入方向に沿って並ぶ態様で固定可能に形成されている。【選択図】図１
2016167930.tif 000002
【特許請求の範囲】
【請求項１】
取付対象物に形成された取付孔に挿入可能に、且つ挿入後に係止可能に形成された係止部と、
前記係止部の挿入方向に沿って並ぶように設けられた複数のロック部を含み、前記係止部に連なるように設けられたバンド固定部と、
長尺帯状に形成され、一端が前記バンド固定部に連なるとともに、他端側が前記ロック部に固定される少なくとも１本のバンド部と、
を備え、
前記バンド部は、複数の電線群のうちそれぞれの電線群ごとに巻回されて別々の前記ロック部に固定可能に形成されているとともに、前記複数の電線群が前記係止部に対して前記バンド固定部を挟んだ位置で前記挿入方向に沿って並ぶ態様で固定可能に形成されている、バンドクランプ。
【請求項２】
請求項１に記載のバンドクランプであって、
前記ロック部には、前記バンド固定部の一端側から他端側へと貫通し、前記バンド部を挿通可能な挿通孔が形成され、
前記バンド部は、前記バンド固定部の一端側から突出し、前記挿通孔に対して前記バンド固定部の他端側から一端側へと向かう向きに挿通され、固定される、バンドクランプ。
【請求項３】
請求項１又は請求項２に記載のバンドクランプであって、
前記バンド部は１本設けられ、１本の前記バンド部で前記複数の電線群が別々に固定される、バンドクランプ。
【請求項４】
請求項１又は請求項２に記載のバンドクランプであって、
前記バンド部は複数本設けられ、複数本の前記バンド部で前記複数の電線群がそれぞれ固定される、バンドクランプ。
【請求項５】
請求項１〜請求項４のいずれか１項に記載のバンドクランプと、
それぞれ前記バンドクランプに固定された、前記複数のロック部の数より少ない第１電線群と、
を備える、ベースハーネス。
【請求項６】
請求項５に記載のベースハーネスと、
さらに前記バンドクランプに固定された第２電線群と、
を備え、
前記第１電線群と前記第２電線群とが前記挿入方向に並ぶように固定されている、ワイヤーハーネス。
【発明の詳細な説明】
【技術分野】
【０００１】
この発明は、電線の周囲に取り付けられるバンドクランプに関する。
【背景技術】
【０００２】
車両に配設される電線には、結束等を目的として、バンド部材が取り付けられる。このようなバンド部材が例えば、特許文献１に開示されている。
【０００３】
特許文献１に記載のケーブルタイは、ケーブル等の線材を結束する可撓性のバンド部と、該バンド部の一端に一体形成され、前記バンド部の進入を一方向にのみ許容する挿通穴が形成された筒状のロック部とからなるケーブルタイにおいて、前記ロック部を複数個連設したことを特徴とするとされている。
【先行技術文献】
【特許文献】
【０００４】
【特許文献１】特開２００８−７１６１号公報
【発明の概要】
【発明が解決しようとする課題】
【０００５】
しかしながら、特許文献１に記載のケーブルタイでは、ロック部の並ぶ方向に対して、電線の並ぶ方向が異なるため、特許文献１に記載のケーブルタイにクランプ部を設けて、バンドクランプをなす場合に、クランプ部の挿入方向に沿って電線が並ばない場合があり得る。この場合、クランプ部が取り付けられる取付対象物の取付孔を基準に電線の経路設計がなされていると、組み付け時の誤差が大きくなってしまう恐れがある。
【０００６】
そこで、本発明は、１つのバンドクランプで複数の電線を別々に結束可能なバンドクランプを用いて複数の電線を取付対象物に取り付ける際に生じる組み付け誤差を小さくすることができる技術を提供することを目的とする。
【課題を解決するための手段】
【０００７】
上記課題を解決するため、第１の態様に係るバンドクランプは、取付対象物に形成された取付孔に挿入可能に、且つ挿入後に係止可能に形成された係止部と、前記係止部の挿入方向に沿って並ぶように設けられた複数のロック部を含み、前記係止部に連なるように設けられたバンド固定部と、長尺帯状に形成され、一端が前記バンド固定部に連なるとともに、他端側が前記ロック部に固定される少なくとも１本のバンド部と、を備え、前記バンド部は、複数の電線群のうちそれぞれの電線群ごとに巻回されて別々の前記ロック部に固定可能に形成されているとともに、前記複数の電線群が前記係止部に対して前記バンド固定部を挟んだ位置で前記挿入方向に沿って並ぶ態様で固定可能に形成されている。
【０００８】
第２の態様に係るバンドクランプは、第１の態様に係るバンドクランプであって、前記ロック部には、前記バンド固定部の一端側から他端側へと貫通し、前記バンド部を挿通可能な挿通孔が形成され、前記バンド部は、前記バンド固定部の一端側から突出し、前記挿通孔に対して前記バンド固定部の他端側から一端側へと向かう向きに挿通され、固定される。
【０００９】
第３の態様に係るバンドクランプは、第１又は第２の態様に係るバンドクランプであって、前記バンド部は１本設けられ、１本の前記バンド部で前記複数の電線群が別々に固定される。
【００１０】
第４の態様に係るバンドクランプは、第１又は第２の態様に係るバンドクランプであって、前記バンド部は複数本設けられ、複数本の前記バンド部で前記複数の電線群がそれぞれ固定される。
【００１１】
第５の態様に係るベースハーネスは、第１〜第４のいずれか１つの態様に係るバンドクランプと、それぞれ前記バンドクランプに固定された、前記複数のロック部の数より少ない第１電線群と、を備える。
【００１２】
第６の態様に係るワイヤーハーネスは、第５の態様に係るベースハーネスと、さらに前記バンドクランプに固定された第２電線群と、を備え、前記第１電線群と前記第２電線群とが前記挿入方向に並ぶように固定されている。
【発明の効果】
【００１３】
第１〜第４の態様に係るバンドクランプによると、バンド部は、複数の電線群のうちそれぞれの電線群ごとに巻回されて別々のロック部に固定可能に形成されているとともに、複数の電線群が係止部に対してバンド固定部を挟んだ位置で挿入方向に沿って並ぶ態様で固定可能に形成されているため、１つのバンドクランプで複数の電線を別々に結束可能なバンドクランプを用いて複数の電線を取付対象物に取り付ける際に生じる組み付け誤差を小さくすることができる。
【００１４】
特に、第２の態様に係るバンドクランプによると、ロック部には、バンド固定部の一端側から他端側へと貫通し、バンド部を挿通可能な挿通孔が形成され、バンド部は、バンド固定部の一端側から突出し、挿通孔に対してバンド固定部の他端側から一端側へと向かう向きに挿通され、固定されるため、簡易な形状で複数の電線群が係止部に対してバンド固定部を挟んだ位置で挿入方向に沿って並ぶ態様で固定可能となる。
【００１５】
特に、第３の態様に係るバンドクランプによると、バンド部は１本設けられ、１本のバンド部で複数の電線群が別々に固定される。
【００１６】
特に、第４の態様に係るバンドクランプによると、バンド部は複数本設けられ、複数本のバンド部で複数の電線群がそれぞれ固定される。
【００１７】
第５の態様に係るベースハーネスによると、それぞれバンドクランプに固定された、複数のロック部の数より少ない第１電線群を備えるため、さらに、電線群を追加することができる。
【００１８】
第６の態様に係るワイヤーハーネスによると、第５の態様に係るベースハーネスと、さらにバンドクランプに固定された第２電線群と、を備え、第１電線群と第２電線群とが挿入方向に並ぶように固定されているため、１つのバンドクランプで複数の電線を別々に結束可能なバンドクランプを用いて複数の電線を取付対象物に取り付ける際に生じる組み付け誤差を小さくすることができる。
【図面の簡単な説明】
【００１９】
【図１】第１実施形態に係るバンドクランプを示す正面図である。
【図２】第１実施形態に係るベースハーネスを示す正面図である。
【図３】第１実施形態に係るワイヤーハーネスを示す正面図である。
【図４】第２実施形態に係るバンドクランプを示す正面図である。
【図５】第２実施形態に係るベースハーネスを示す正面図である。
【図６】第２実施形態に係るワイヤーハーネスを示す正面図である。
【発明を実施するための形態】
【００２０】
｛第１実施形態｝
以下、第１実施形態に係るバンドクランプ３０、ベースハーネス２０及びワイヤーハーネス１０について説明する。図１は、第１実施形態に係るバンドクランプ３０を示す正面図である。図２は、第１実施形態に係るベースハーネス２０を示す正面図である。図３は、第１実施形態に係るワイヤーハーネス１０を示す正面図である。
【００２１】
第１実施形態に係るベースハーネス２０は、第１実施形態に係るバンドクランプ３０が第１電線群７２に固定されたものである。第１実施形態に係るワイヤーハーネス１０は、ベースハーネス２０がさらに第２電線群７４に固定されたものである。第２電線群７４は、バンドクランプ３０の係止部３２に対して第１電線群７２より外側に取り付けられる。なお、第１電線群７２と第２電線群とを区別する必要がない場合、単に電線群７０と称する。
【００２２】
ここで、ベースハーネス２０とワイヤーハーネス１０との違いについて説明する。
【００２３】
車両によって、搭載される電線の種類は異なる。これは、車種の違い、又は同じ車種でもグレード或いは選択されるオプションの違い等による。この際、車両によって搭載される電線の種類が異なる場合であっても、一部の電線には、車両によらず共通の電線が採用される場合がある。例えば、このような車両によらず共通の電線を第１電線群７２とし、車両によって異なる電線を第２電線群７４とすることで、第１電線群７２にバンドクランプ３０を固定したベースハーネス２０は、車両によらず共通化することが可能となる。そして、車両によって異なる第２電線群７４をベースハーネス２０に固定することで、車両ごとに形成されるワイヤーハーネス１０と成すことができる。つまり、ここでは、ベースハーネス２０とは、後から別の電線群を追加固定可能な態様で、一部の電線群がバンドクランプ３０に固定されたものを言う。そして、ワイヤーハーネス１０は、ベースハーネス２０にさらに別の電線群が固定されたものを言う。このように、後から車両特有の部材を追加可能な態様で車両によらず共通の部材を先に形成しておくことで、部材の一部を共通化することができ、以て、コストダウン等を図ることができる。もっとも、第１電線群７２に車両特有の電線が含まれていてもよい。また、第２電線群７４に車両によらず共通の電線が含まれていてもよい。
【００２４】
バンドクランプ３０が固定される各電線群７０には、それぞれ少なくとも１本の電線が含まれていればよく、その本数は電線群７０ごとに適宜決定されればよい。電線は、芯線の外周に樹脂が押出被覆等されることで被覆部が形成された構成とされている。ここでは、各電線群７０は、複数の電線が束ねられた電線束の例で説明する。なお、電線群７０には、光ファイバ等が電線に沿って配設されていてもよい。電線は、車両等の配設対象箇所に配設された状態で、車両等に搭載された各種電気機器同士を電気的に接続するものとして用いられる。なお、図２，３，５及び６では、電線束の概形が描かれている。
【００２５】
次に、第１実施形態に係るバンドクランプ３０について説明する。ここでは、まず、バンドクランプ３０の全体像について説明した後、続いてバンドクランプ３０の各部について詳述する。第１実施形態に係るバンドクランプ３０は、係止部３２と、バンド固定部４０と、バンド部５０とを含む。バンドクランプ３０は、樹脂等を材料として、金型等を用いて一体成形されている。
【００２６】
係止部３２は、車体パネル等の取付対象物に形成された取付孔に挿入可能に、且つ挿入後に係止可能に形成されている。また、係止部３２は、バンド固定部４０から突出する態様で設けられている。
【００２７】
バンド固定部４０は、係止部３２に連なるように設けられている。バンド固定部４０は、複数のロック部４３を含む。複数のロック部４３は、取付孔に対する係止部３２の挿入方向に沿って並ぶように設けられている。複数のロック部４３は、それぞれバンド部５０を固定可能に設けられている。ここでは、ロック部４３は、２つ設けられている。２つのロック部４３を区別する場合、係止部３２から遠い側からロック部４３ａ、ロック部４３ｂと称する。ロック部４３には、挿通孔４４が形成されている。挿通孔４４は、バンド固定部４０の一端側から他端側へと貫通するように形成されている。挿通孔４４は、バンド部５０を挿通可能に形成されている。
【００２８】
バンド部５０は、長尺帯状に形成されている。バンド部５０は、ここでは、１本設けられている。１本のバンド部５０で複数の電線群７０が別々に固定される。バンド部５０は、一端がバンド固定部４０に連なっている。そしてバンド部５０は、他端側がロック部４３に固定される。
【００２９】
続いてバンドクランプ３０の各部について詳述する。
【００３０】
バンド部５０は、複数の電線群７０のうちそれぞれの電線群７０ごとに巻回されて別々のロック部４３に固定可能に形成されている。ここでは、バンド部５０は、２つの電線群７２，７４を順番に巻回及び係止可能な程度の長さに設定されている。より詳細には、バンド部５０は、一度第１電線群７２の周囲に巻回されると共にロック部４３ａに固定された後、さらに第２電線群７４の周囲に巻回されて、ロック部４３ｂに固定される。この際、第２電線群７４は、バンド部５０のうち第１電線群７２に巻回された部分の外側に位置する。
【００３１】
また、バンド部５０は、複数の電線群７０が係止部３２に対してバンド固定部４０を挟んだ位置で挿入方向に沿って並ぶ態様で固定可能に形成されている。ここでは、バンド部５０は、バンド固定部４０の一端側から突出している。そして、バンド部５０は、挿通孔４４に対してバンド固定部４０の他端側から一端側へと向かう向きに挿通され、固定される。これにより、第１電線群７２と第２電線群７４とは、係止部３２に対してバンド固定部４０を挟んだ位置で挿入方向に沿って並ぶ態様で固定可能となる。
【００３２】
バンド部５０の先端部は、先端に行くにつれて幅が狭くなると共に、厚みが薄くなるように形成されている。これにより、バンド部５０をロック部４３の挿通孔４４に挿し込みやすくなる。また、バンド部５０の中間部分には、係止凹部５４が形成されている。
【００３３】
係止凹部５４は、ここでは、バンド部５０の一対の主面５１ａ，５１ｂのうち少なくとも一方（ここでは、バンド部５０が電線の周囲に巻回された状態で外側を向く側の主面５１ａ）に形成されている。係止凹部５４は、バンド部５０の外向きの主面５１ａの一部が反対側の主面５１ｂに向かって凹むように形成されている。係止凹部５４は、バンド部５０の延在方向に沿って複数設けられている。係止凹部５４は、後述する挿通孔４４の内周面に突設された係止突起４６に選択的に係止可能に形成されている。
【００３４】
なお、ここでは、係止凹部５４として、バンド部５０をロック部４３ａに固定するための係止凹部５４ａと、バンド部５０をロック部４３ｂに固定するための係止凹部５４ｂとが形成されている。ここでは、ロック部４３ａの形状とロック部４３ｂの形状とが同一に形成されているので、係止凹部５４ａの形状と係止凹部５４ｂの形状とも同一に形成されている。ここで、バンド部５０の延在方向に沿って、バンド部５０のうち係止凹部５４ａと係止凹部５４ｂとの間の部分には、係止凹部５４が形成されない部分が存在していてもよい。また、係止凹部５４ａと係止凹部５４ｂとは続けて形成されていてもよい。
【００３５】
バンド固定部４０は、バンド部５０の一端につながっている。また、バンド固定部４０は、バンド部５０が電線の周囲に巻回された状態でバンド部５０の他端を固定可能に形成されている。
【００３６】
具体的には、バンド固定部４０は、略直方体状に形成されたバンド固定本体部４２を含む。バンド固定本体部４２には、バンド固定本体部４２の一対の主面４２ａ，４２ｂを貫く挿通孔４４が形成されている。ここでは、挿通孔４４は２つ形成されている。２つの挿通孔４４は、同一の形状に形成され、係止部３２の挿入方向（主面４２ａ，４２ｂに直交する一対の主面４２ｃ，４２ｄを結ぶ方向）に沿って並ぶように形成されている。２つの挿通孔４４のうち係止部３２から遠い方（主面４２ｃ側）から順に、挿通孔４４ａ、挿通孔４４ｂと称する。各挿通孔４４の内周面には、係止突起４６が突設されている。ここでは、挿通孔４４、係止突起４６及び挿通孔４４の周縁がロック部４３とされる。即ち、挿通孔４４ａ、係止突起４６ａ及び挿通孔４４ａの周縁部がロック部４３ａであり、挿通孔４４ｂ、係止突起４６ｂ及び挿通孔４４ｂの周縁部がロック部４３ｂである。
【００３７】
ここで、バンド部５０は、挿通孔４４の開口４５ａ，４５ｂが形成された主面４２ａ，４２ｂと直交する１つの主面４２ｃのうち主面４２ｂ寄りの側から突出する態様で設けられている。そして、バンド部５０は、挿通孔４４の開口４５ａから挿通孔４４内に挿通され、開口４５ｂから外方に抜ける。
【００３８】
各挿通孔４４の幅寸法は、バンド部５０の幅寸法と同じかそれよりも大きく（ここでは、若干大きく）設定されている。また、各挿通孔４４の高さ寸法は、バンド部５０の厚み寸法と同じかそれよりも大きく（ここでは、若干大きく）設定されている。
【００３９】
係止突起４６は、ここでは、バンド部５０に複数設けられた係止凹部５４に選択的に係止可能に形成されている。具体的には、ここでは、係止凹部５４がバンド部５０の外向きの主面５１ａに形成されているため、係止突起４６は、挿通孔４４の内周面のうち係止部３２側の内周面から突出している。
【００４０】
また、バンド部５０が挿通孔４４の開口４５ａから開口４５ｂに向けて挿通され係止突起４６が係止凹部５４に係止している状態で、バンド部５０が挿通される向き（開口４５ａから開口４５ｂに向かう向き）には移動可能であると共に、挿通される向きとは反対側の向き（開口４５ｂから開口４５ａに向かう向き）には移動不可となるように、係止突起４６及び係止凹部５４の形状が形成されている。このような、係止突起４６と係止凹部５４との形状としては、例えば、以下のような形状が考えられる。
【００４１】
即ち、係止突起４６は、バンド部５０が挿通される側の開口４５ａを向く第１の面と、その反対側の開口４５ｂを向く第２の面とを有する。第１の面は、係止突起４６が突出する挿通孔４４の内周面に対して傾斜する傾斜面をなしており、傾斜面の先端側にいくにつれて反対側の開口４５ｂに近づくように設定されている。また、第２の面は、上記内周面に対して直交する直交面をなしている。同様に、複数の係止凹部５４の内周面もそれぞれ、第１の面と第２の面とを有し、第１の面がバンド部５０の先端側を向くと共に、バンド部５０の延在方向に対して傾斜する傾斜面をなし、第２の面がバンド部５０の延在方向に直交する直交面をなしている。
【００４２】
バンド部５０が挿通孔４４の開口４５ａから開口４５ｂに向けて挿通されていくと、係止凹部５４の傾斜面と係止突起４６の傾斜面とが接する。この状態からさらに挿通される向きにバンド部５０を移動させようとすると、係止凹部５４の内周面と係止突起４６との少なくとも一方が弾性変形し、係止突起４６が係止している係止凹部５４を越えて、次のバンド凹部に係止する。これを繰り返すことで、バンド部５０は、挿通される向きに順次移動していく。
【００４３】
係止突起４６が係止凹部５４に係止している状態で、バンド部５０を挿通される向きとは反対側の向きに移動させようとすると、係止凹部５４の直交面と係止突起４６の直交面とが接するため、係止凹部５４の内周面と係止突起４６との両方が弾性変形しにくい。これにより、係止突起４６が係止凹部５４に係止している状態で、バンド部５０は、挿通される向きとは反対側の向きには、移動不可となる。そして、バンド部５０を電線群７０の周囲に巻回してきつく締めることで、バンド部５０は、挿通方向のどちらの向きにも移動不可となり、以て、バンドクランプ３０が、電線群７０に固定された状態となる。
【００４４】
係止部３２は、ここでは、バンド固定部４０のうちバンド部５０が突出する主面４２ｃとは反対側の主面４２ｄから突出するように設けられている。係止部３２は、皿部３３と係止片３６とを含む。係止部３２は、取付対象物に形成された取付孔の形状に対応した形状に形成される。ここでは、取付孔が長円形に形成されており、係止部３２の形状は、長円形に対応した形状とされているものとして説明する。もっとも、取付孔の形状は長円形に限られるものではなく、円形又は角形等であってもよい。
【００４５】
皿部３３は、皿バネ状に形成されている。より具体的には、皿部３３は、底部３４と胴部３５とを含む。底部３４は、長円形の平板状に形成され、その主面がバンド固定部４０の主面４２ｄに接するように設けられている。胴部３５は、底部３４の外縁から外方に向けて広がるように傾斜しつつ突出している。胴部３５の外縁は、取付対象物に形成された取付孔よりも大きく設定されている。係止部３２が取付孔に係止した状態で、胴部３５の外縁は、取付孔の周縁に当接可能に形成されている。
【００４６】
係止片３６は、取付孔に挿入可能であり、挿入後に抜止可能な形状に形成されている。より具体的には、係止片３６は、棒状部３７と、羽部３８とを含む。
【００４７】
棒状部３７は、底部３４（ここでは、底部３４の中心）から底部３４の主面に直交する態様で延びるように形成されている。棒状部３７は、係止部３２が取付孔に係止した状態で取付孔の内側に位置する部分を含む。羽部３８は、棒状部３７の先端から外方に広がりつつ底部３４側へ向かって延びるように一対形成されている。ここでは、一対の羽部３８は、棒状部３７の先端から底部３４の長軸方向に沿って反対側に延びるように形成されている。
【００４８】
一対の羽部３８の先端側には、段差部３８ａが設けられている。当該段差部３８ａの基端側部分に、一対の羽部３８の外向き面の間隔が最大となる部分（最外寸部）が設けられており、当該最外寸部の間隔は、取付孔よりも大きく設定されている。また、一対の羽部３８は、最外寸部の間隔が取付孔以下となるように弾性変形可能に形成されている。
【００４９】
係止部３２を取付孔に挿入させていくと、最外寸部の間隔が小さくなるように羽部３８が弾性変形しつつ、取付孔内を進んでいく。そして、最外寸部が取付孔を抜けると、羽部３８が弾性復帰し始め、段差部３８ａが取付孔を抜けることで段差部３８ａが取付孔の周縁に引っ掛かる。これにより、係止部３２を取付孔から抜こうとしても、段差部３８ａが取付孔の周縁に引っ掛かることによって、移動不可となる。また、この状態で、さらに係止部３２を取付孔に挿入させようとすると、胴部３５が取付孔の周縁に引っ掛かり、移動不可となる。係止部３２が取付孔に係止した状態となり、これを以て、バンドクランプ３０が取付対象物に取り付けられた状態となる。
【００５０】
＜動作＞
次に、当該バンドクランプ３０を電線に固定していく様子について説明する。
【００５１】
まずは、バンドクランプ３０を第１電線群７２に固定し、ベースハーネス２０をなす。第１電線群７２の数は、複数のロック部４３の数より少ない。第１電線群７２が複数存在する場合、それぞれ別々にバンドクランプ３０に固定される。
【００５２】
具体的には、ここでは、１つの第１電線群７２にバンドクランプ３０を固定する。より詳細には、第１電線群７２がバンド固定本体部４２の主面４２ｃに接するように位置させる。この状態で、バンド部５０を第１電線群７２の周囲に巻回したうえで、バンド部５０の先端側から、ロック部４３ａの挿通孔４４に挿通していき、係止させる。このとき、バンド部５０は、開口４５ａから挿通孔４４内に挿通され、開口４５ｂから外方へ抜ける。これにより、第１電線群７２が、係止部３２が突設された主面４２ｄとは反対側の主面４２ｃに接した状態で、バンドクランプ３０が第１電線群７２に固定される。
【００５３】
なお、ロック部４３ａは、最も第１電線群７２に近いロック部、換言すると、最も係止部３２から遠いロック部である。これにより、続けて、ロック部４３ｂを用いて第２電線群７４を固定することができる。
【００５４】
ここで、第１電線群が複数存在する場合、別々の第１電線群ごとにその都度バンド部の巻回及び係止を行う。この際、バンド部を係止するのに用いられるロック部は、第１電線群に近い側のロック部から順次採用される。より詳細には、まず、１つの第１電線群にバンド部を巻回して最も第１電線群に近いロック部に係止させる。その後、係止させたロック部から外方に延びるバンド部を次の第１電線群に巻回して、上記ロック部の次に第１電線群に近いロック部に係止させる。あとは、これを繰り返してすべての第１電線群を係止させる。
【００５５】
すべての第１電線群７２を係止させたら次に、ベースハーネス２０のバンドクランプ３０を第２電線群７４に固定し、ワイヤーハーネス１０をなす。この際、第１電線群７２と第２電線群７４とは、係止部３２の挿入方向に並ぶように固定される。なお、ベースハーネス２０に第２電線群７４を固定して、ワイヤーハーネス１０を形成する作業は、ベースハーネス２０を形成する作業と同じ場所で行われてもよいし、異なる場所で行われてもよい。
【００５６】
具体的には、ベースハーネス２０が完成した段階で、バンド部５０の先端側は、第１電線群７２の固定に用いられているロック部４３のうち最も第１電線群７２から遠い位置のロック部４３から外方に延びている。この部分を用いて、第２電線群７４を固定する。
【００５７】
ここでは、バンドクランプ３０が１つの第２電線群７４に固定される。より詳細には、第２電線群７４を、バンド部５０のうち第１電線群７２を固定する部分の外方で、第１電線群７２と挿入方向に沿って並ぶように位置させる。この状態で、ロック部４３ａから外方に延びるバンド部５０を第２電線群７４の周囲に巻回したうえで、バンド部５０の先端側から、ロック部４３ｂの挿通孔４４に挿通していき、係止させる。このとき、ロック部４３ｂに対しても、ロック部４３ａのときと同じように、バンド部５０は、開口４５ａから挿通孔４４内に挿通され、開口４５ｂから外方へ抜ける。
【００５８】
なお、第２電線群が複数存在する場合、別々の第２電線群ごとにその都度バンド部の巻回及び係止を行う。この際、係止するのに用いられるロック部は、第１電線群に近い側のロック部から順次採用される。より詳細には、１つの第２電線群の周囲にバンド部を巻回して最後の第１電線群の係止に用いられたロック部の次のロック部に係止させる。その後、係止させたロック部から外方に延びるバンド部を次の第２電線群に巻回して、上記ロック部の次に第１電線群に近いロック部に係止させる。あとは、これを繰り返してすべての第２電線群を係止させる。
【００５９】
こうして、すべての第１電線群７２に加えてすべての第２電線群７４に１つのバンドクランプ３０が係止されることで、ワイヤーハーネス１０が完成となる。この際、バンド部５０のうち最後に係止したロック部４３ｂから外方に延びている部分が長い場合は、カットされることが好ましい。
【００６０】
第１実施形態に係るバンドクランプ３０、ベースハーネス２０及びワイヤーハーネス１０によると、バンド部５０は、複数の電線群７０のうちそれぞれの電線群７０ごとに巻回されて別々のロック部４３に固定可能に形成されているとともに、複数の電線群７０が係止部３２に対してバンド固定部４０を挟んだ位置で挿入方向に沿って並ぶ態様で固定可能に形成されている。このため、１つのバンドクランプ３０で複数の電線を別々に結束可能なバンドクランプ３０を用いて複数の電線を取付対象物に取り付ける際に生じる組み付け誤差を小さくすることができる。
【００６１】
さらに、複数の電線群７０が係止部３２に対してバンド固定部４０を挟んだ位置で挿入方向に沿って並ぶことで、最も外側に位置する電線群７０を押して係止部３２を取付孔に係止させる際に、係止部３２に力をより伝達しやすくすることができる。また、複数の電線群７０が並ぶ方向が係止部３２の挿入方向であるとともに、複数の電線群７０の並ぶ先に係止部３２が位置するため、係止部３２を取付孔に係止させる際に、係止部３２の位置及びその挿入方向を認識しやすくなる。
【００６２】
また、ロック部４３には、バンド固定部４０の一端側から他端側へと貫通し、バンド部５０を挿通可能な挿通孔４４が形成され、バンド部５０は、バンド固定部４０の一端側から突出し、挿通孔４４に対してバンド固定部４０の他端側から一端側へと向かう向きに挿通され、固定される。このため、簡易な形状で複数の電線群７０が係止部３２に対してバンド固定部４０を挟んだ位置で挿入方向に沿って並ぶ態様で固定可能となる。
【００６３】
また、バンド部５０は１本設けられ、１本のバンド部５０で複数の電線群７０が別々に固定される。このため、バンド部５０をバンド固定部４０に固定した後のバンドの余長部分をカットする作業が１回で済むことによって、工数削減につながる。
【００６４】
｛第２実施形態｝
次に、第２実施形態に係るバンドクランプ１３０、ベースハーネス１２０及びワイヤーハーネス１１０について説明する。図４は、第２実施形態に係るバンドクランプ１３０を示す正面図である。図５は、第２実施形態に係るベースハーネス１２０を示す正面図である。図６は、第２実施形態に係るワイヤーハーネス１１０を示す正面図である。なお、本実施の形態の説明において、前の実施形態で説明したものと同様構成要素については同一符号を付してその説明を省略する。
【００６５】
第２実施形態に係るバンドクランプ１３０は、バンド部１５０が複数本設けられている点で第１実施形態に係るバンドクランプ１３０とは異なる。
【００６６】
具体的には、バンド部１５０は２本設けられている。ここでは、２本のバンド部１５０で２つの電線群７２，７４がそれぞれ固定される。
【００６７】
２本のバンド部１５０のうち第１電線群７２に巻回される方のバンド部１５０ａは、バンド固定部４０に対して、第１実施形態に係るバンド部５０と同様の位置から突出している。２本のバンド部１５０のうち第２電線群７４に巻回される方のバンド部１５０ｂは、バンド固定部４０に対して、バンド固定本体部４２の主面４２ｂから突出している。より詳細には、バンド部１５０ｂは、主面４２ｂのうち挿通孔４４ａの開口４５ｂよりも主面４２ｃ側から突出するように設けられている。
【００６８】
なお、ここでは、バンド部１５０ａは、バンド固定部４０に対して係止部３２の挿入方向に沿って延出し、バンド部１５０ｂは、バンド固定部４０に対して挿通孔４４の中心軸方向に沿って延出しているが、このことは必須ではない。バンド部１５０ａ，１５０ｂの延出方向は、任意に設定されていればよい。また、ここでは、バンド部１５０ａが主面４２ｃから突出し、バンド部１５０ｂが主面４２ｂから突出しているが、このことは必須ではない。バンド部１５０ａ，１５０ｂ共に主面４２ｃから突出していてもよいし、バンド部１５０ａ，１５０ｂ共に主面４２ｂから突出していてもよい。
【００６９】
２つのバンド部１５０は、主面４２ａと主面４２ｃとで共有する縁部分４２ｅに近いバンド部１５０から順にバンド部１５０ａ、バンド部１５０ｂとされる。つまり、バンド部１５０ｂの方がバンド部１５０ａよりも、主面４２ａから離れている。さらに、バンド部１５０ｂの方がバンド部１５０ａよりも主面４２ｃから離れている。
【００７０】
なお、２つのバンド部１５０の長さは、同じ長さに設定されていてもよいし、異なる長さに設定されていてもよく、適宜定められていればよい。もっとも、バンド部１５０ｂの方がバンド部１５０ａより大回りになるため、バンド部１５０ｂの方がバンド部１５０ａより長いことが好ましい。
【００７１】
次に、当該バンドクランプ１３０を電線に固定していく様子について説明する。
【００７２】
まずは、バンドクランプ１３０を第１電線群７２に固定し、ベースハーネス１２０をなす。第１電線群７２の数は、複数のロック部４３の数より少ない。第１電線群７２が複数存在する場合、それぞれ別々にバンドクランプ１３０に固定される。
【００７３】
具体的には、ここでは、１つの第１電線群７２にバンドクランプ１３０を固定する。より詳細には、第１電線群７２がバンド固定本体部４２の主面４２ｃに接するように位置させる。この状態で、バンド部１５０ａを第１電線群７２の周囲に巻回したうえで、バンド部１５０ａの先端側から、ロック部４３ａの挿通孔４４に挿通していき、係止させる。このとき、バンド部１５０ａは、開口４５ａから挿通孔４４内に挿通され、開口４５ｂから外方へ抜ける。これにより、第１電線群７２が、係止部３２が突設された主面４２ｄとは反対側の主面４２ｃに接した状態で、バンドクランプ１３０が第１電線群７２に固定される。
【００７４】
なお、バンド部１５０ａは、最も縁部分４２ｅに近い位置から突出するバンド部１５０である。また、ロック部４３ａは、最も第１電線群７２に近いロック部４３、換言すると、最も係止部３２から遠いロック部４３である。これらにより、続けて、バンド部１５０ｂ及びロック部４３ｂを用いて第２電線群７４を固定することができる。
【００７５】
ここで、第１電線群が複数存在する場合、別々の第１電線群ごとにその都度別々のバンド部の巻回及び係止を行う。この際、バンド部は、縁部分４２ｅに近い位置のバンド部から順次採用される。また、バンド部を係止するのに用いられるロック部は、第１電線群に近い側のロック部から順次採用される。より詳細には、まず、１つの第１電線群に縁部分４２ｅに最も近い位置から突出するバンド部を巻回して、最も第１電線群に近いロック部に係止させる。その後、係止させたバンド部の次に縁部分４２ｅに近い位置から突出するバンド部を次の第１電線群に巻回して、上記ロック部の次に第１電線群に近いロック部に係止させる。あとは、これを繰り返してすべての第１電線群７２を係止させる。
【００７６】
すべての第１電線群７２を係止させたら次に、ベースハーネス１２０のバンドクランプ１３０を第２電線群７４に固定し、ワイヤーハーネス１１０をなす。この際、第１電線群７２と第２電線群７４とは、係止部３２の挿入方向に並ぶように固定される。
【００７７】
具体的には、ベースハーネス１２０が完成した段階で、バンド部１５０及びロック部４３が余る。この余ったバンド部１５０及びロック部４３を用いて、第２電線群７４を固定する。
【００７８】
ここでは、バンドクランプ１３０が１つの第２電線群７４に固定される。より詳細には、第２電線群７４を、バンド部１５０ａの外方で第１電線群７２と係止部３２の挿入方向に沿って並ぶように位置させる。この状態で、バンド部１５０ｂを第２電線群７４の周囲に巻回したうえで、バンド部１５０ｂの先端側から、ロック部４３ｂの挿通孔４４に挿通していき、係止させる。このとき、バンド部１５０ｂは、開口４５ａから挿通孔４４内に挿通され、開口４５ｂから外方へ抜ける。
【００７９】
ここで、第２電線群が複数存在する場合、別々の第２電線群ごとにその都度別々のバンド部の巻回及び係止を行う。この際、バンド部は、余っているバンド部のうち縁部分４２ｅに近い位置から突出するバンド部から順次採用される。また、係止するのに用いられるロック部は、余っているロック部のうち第１電線群に近い側のロック部から順次採用される。より詳細には、１つの第２電線群の周囲に、最後の第１電線群の係止に用いられたバンド部の次に縁部分４２ｅに近い位置から突出するバンド部を巻回して、最後の第１電線群の係止に用いられたロック部の次のロック部に係止させる。その後、係止させたバンド部の次のバンド部を次の第２電線群に巻回して、上記ロック部の次に第１電線群に近いロック部に係止させる。あとは、これを繰り返してすべての第２電線群を係止させる。
【００８０】
こうして、すべての第１電線群７２に加えてすべての第２電線群７４に１つのバンドクランプ１３０が係止されることで、ワイヤーハーネス１１０が完成となる。この際、各バンド部１５０のうちロック部４３から外方に延びている部分は、カットされることが好ましい。各バンド部１５０のうちロック部４３から外方に延びている部分がカットされる場合、その作業は、いつ行われても構わない。例えば、各バンド部１５０を固定した後すぐに行われてもよいし、すべてのバンド部１５０の固定が終わった後に行われてもよい。
【００８１】
第２実施形態に係るバンドクランプ１３０、ベースハーネス１２０及びワイヤーハーネス１１０によっても、バンド部が１本であることによる効果以外の効果については、第１実施形態に係るバンドクランプ３０、ベースハーネス２０及びワイヤーハーネス１０と同様の効果を得ることができる。
【００８２】
また、第２実施形態に係るバンドクランプ１３０、ベースハーネス１２０及びワイヤーハーネス１１０によると、バンド部１５０は複数本設けられ、複数本のバンド部１５０で複数の電線群７０がそれぞれ固定される。このため、バンド部が１本の場合に比べて、すべての電線群７０を固定した後に、係止部３２に近い側の電線群７０が緩んでいたとしても、容易に手直しすることができる。また、バンド部が１本の場合に比べて、それぞれのバンド部１５０の長さを抑えることができる。
【００８３】
｛変形例｝
上記各実施形態において、係止凹部５４がバンド部５０の主面５１ａに設けられるものとして説明したが、このことは必須ではない。係止凹部は、例えば、バンド部５０の側面に設けられていてもよい。
【００８４】
また、上記各実施形態において、第１電線群７２の数と第２電線群７４の数との和は、複数のロック部４３の数に一致するが、このことは必須ではない。例えば、ロック部の数が３つである場合に、固定される第１電線群及び第２電線群が１つずつであり、ロック部が１つ余る場合もあり得る。
【００８５】
なお、ロック部の数が３つ以上である場合に、第１電線群の数が第２電線群の数より多くてもいし、少なくてもよい。また、第１電線群の数と第２電線群の数とが同数であってもよい。つまり、電線群が３つ以上ある場合に、係止部３２に最も近い側を第１電線群とすると共に、係止部３２に最も遠い側を第２電線群とするが、中間部分の電線群に関しては、第１電線群とみなしてもよいし、第２電線群とみなしてもよい。
【００８６】
なお、ロック部が３つ以上あるバンドクランプが電線群に固定されている場合であって、ロック部が余っている場合、バンドクランプが固定される電線群の数が１つだけであったら、それはベースハーネスであり、バンドクランプが固定される電線群の数が２つ以上であったら、それはワイヤーハーネスであるとみなすことができる。
【００８７】
また、ベースハーネス２０が完成した後、ワイヤーハーネス１０となる前の時点で電線を追加する必要がないと判断された場合などには、バンド部５０の余長部分（バンド部１５０の余剰部分）がカットされることで、第２電線群７４を追加できなくされている場合もあり得る。
【００８８】
また、第２実施形態において、ロック部４３の数とバンド部１５０の数とが一致しているがこのことは必須ではない。例えば、バンド部が２本でロック部が３つである場合のように、バンド部の数は、ロック部の数より少なくてもよい。この場合、第１実施形態に係るワイヤーハーネス１０のように、１本のバンド部で複数の電線群を固定可能であるとよい。
【００８９】
なお、上記各実施形態及び各変形例で説明した各構成は、相互に矛盾しない限り適宜組み合わせることができる。
【００９０】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００９１】
１０  ワイヤーハーネス
２０  ベースハーネス
３０  バンドクランプ
３２  係止部
４０  バンド固定部
４３  ロック部
４４  挿通孔
４６  係止突起
５０  バンド部
５４  係止凹部
７０  電線群
７２  第１電線群
７４  第２電線群
【図１】
2016167930.tif 000003
【図２】
2016167930.tif 000004
【図３】
2016167930.tif 000005
【図４】
2016167930.tif 000006
【図５】
2016167930.tif 000007
【図６】
2016167930.tif 000008